(57)【要約】【課題】簡易な操作で短時間に緊急通報を実行する。【解決手段】緊急通報に関する情報を記憶する緊急通報情報記憶手段１０１と、緊急通報情報記憶手段１０１に記憶された情報に基づいて、緊急通報を行うための緊急通報画面２を生成する緊急通報画面生成手段１０６と、自機が起動された際に、緊急通報画面生成手段１０６により生成された緊急通報画面２を初期画面として表示する表示手段１０７と、表示手段１０７により表示された緊急通報画面２に対する操作に応じ、緊急通報情報記憶手段１０１に記憶された情報に基づいて、該当する緊急通報先に通話発信する緊急通報通話発信手段１１５と、表示手段１０７により表示された緊急通報画面２に対する操作に応じ、当該緊急通報画面２の表示を終了する緊急通報画面終了手段１１６とを備えた。【選択図】図１
2015049728.tif 000002
【特許請求の範囲】
【請求項１】
緊急通報を行う機能を有する緊急通報携帯端末において、
前記緊急通報に関する情報を記憶する緊急通報情報記憶手段と、
前記緊急通報情報記憶手段に記憶された情報に基づいて、前記緊急通報を行うための緊急通報画面を生成する緊急通報画面生成手段と、
自機が起動された際に、前記緊急通報画面生成手段により生成された緊急通報画面を初期画面として表示する表示手段と、
前記表示手段により表示された緊急通報画面に対する操作に応じ、前記緊急通報情報記憶手段に記憶された情報に基づいて、該当する緊急通報先に通話発信する緊急通報通話発信手段と、
前記表示手段により表示された緊急通報画面に対する操作に応じ、当該緊急通報画面の表示を終了する緊急通報画面終了手段と
を備えたことを特徴とする緊急通報携帯端末。
【請求項２】
自機が圏外であるかを判定する圏外判定手段を備え、
前記緊急通報画面生成手段は、前記圏外判定手段により自機が圏外であると判定された場合に、通話発信が不可である旨を前記緊急通報画面に表示する
ことを特徴とする請求項１記載の緊急通報携帯端末。
【請求項３】
自機のバッテリ残量を取得するバッテリ残量取得手段と、
前記バッテリ残量取得手段により取得されたバッテリ残量がしきい値以下であるかを判定するバッテリ残量判定手段とを備え、
前記緊急通報画面生成手段は、前記バッテリ残量取得手段により取得されたバッテリ残量を前記緊急通報画面に表示するとともに、前記バッテリ残量判定手段によりバッテリ残量がしきい値以下であると判定された場合にその旨を当該緊急通報画面に表示する
ことを特徴とする請求項１または請求項２記載の緊急通報携帯端末。
【請求項４】
前記緊急通報画面終了手段により緊急通報画面の表示が終了されたことを検出する検出手段と、
前記検出手段により緊急通報画面の表示が終了されたことが所定時間以上検出されない場合にその旨を外部に通知する通知手段を備えた
ことを特徴とする請求項１から請求項３のうちのいずれか１項記載の緊急通報携帯端末。
【請求項５】
前記緊急通報画面生成手段は、自機の通話発信を制限する機内モードの設定／解除を切替えるための機能を前記緊急通報画面に設け、
前記緊急通報通話発信手段は、自機が機内モードに設定されている場合には通話発信を行わない
ことを特徴とする請求項１から請求項４のうちのいずれか１項記載の緊急通報携帯端末。
【請求項６】
前記緊急通報画面生成手段は、自機の位置情報の提供可否を設定するための機能を前記緊急通報画面に設け、
前記表示手段により表示された緊急通報画面に対する操作に応じ、自機の位置情報の提供可否を設定する位置情報提供設定手段を備えた
ことを特徴とする請求項１から請求項５のうちのいずれか１項記載の緊急通報携帯端末。
【請求項７】
前記緊急通報画面生成手段は、前記設定手段により自機の位置情報の提供が不可に設定された場合にその旨を前記緊急通報画面に表示する
ことを特徴とする請求項６記載の緊急通報携帯端末。
【請求項８】
緊急通報を行う機能を有する緊急通報携帯端末による緊急通報方法において、
前記緊急通報に関する情報を記憶する緊急通報情報記憶ステップと、
前記緊急通報情報記憶ステップにおいて記憶した情報に基づいて、前記緊急通報を行うための緊急通報画面を生成する緊急通報画面生成ステップと、
自機が起動された際に、前記緊急通報画面生成ステップにおいて生成した緊急通報画面を初期画面として表示する表示ステップと、
前記表示ステップにおいて表示した緊急通報画面に対する操作に応じ、前記緊急通報情報記憶ステップにおいて記憶した情報に基づいて、該当する緊急通報先に通話発信する緊急通報通話発信ステップと、
前記表示ステップにおいて表示した緊急通報画面に対する操作に応じ、当該緊急通報画面の表示を終了する緊急通報画面終了ステップと
を有することを特徴とする緊急通報方法。
【発明の詳細な説明】
【技術分野】
【０００１】
この発明は、緊急通報を行う機能を有する緊急通報携帯端末および緊急通報方法に関するものである。
【背景技術】
【０００２】
主に高齢者が利用する緊急通報サービスにおいて、利用者が緊急通報する場合には体調不良など緊急事態が発生していることが多く、簡単な操作で緊急通報が行えることが求められている。また、どこでも緊急通報が行えるように、携帯端末を利用した緊急通報サービスが普及している。
【０００３】
ここで、スマートフォンなどの携帯端末のアプリケーションにより緊急通報機能を実現する場合、（１）スマートフォンを起動し（スリープ状態から復帰させ）、（２）アプリケーションを起動し、（３）アプリケーション操作（ボタン押下など）により緊急通報を実行する、といった手順をとる必要がある。
また、携帯端末には個人情報が含まれている場合が多く、プライバシーやセキュリティの観点から、他人が使用できないように暗証番号等でロックをかける機能が設けられている。そして、携帯端末がロックされている場合において緊急通報機能を実現する場合には、上記（２）のアプリケーションの起動の前に、ロックを解除する必要がある（例えば特許文献１，２参照）。
【先行技術文献】
【特許文献】
【０００４】
【特許文献１】特開２０１３−１１４４３０号公報
【特許文献２】特開２０１３−９２８９１号公報
【発明の概要】
【発明が解決しようとする課題】
【０００５】
上記のように、従来の携帯端末では、緊急通報を行うまでに複数回の操作が必要であり、緊急事態における操作としては複雑すぎる操作であり、時間がかかってしまうという課題がある。
また、携帯端末を終了する（スリープ状態に入る）直前の状態が、ホーム画面以外（例えば他のアプリケーションが起動している状態）の場合、上記（１）のスマートフォンの起動を行い、必要に応じてロックを解除した後に、前回終了時の状態に復帰する。そのため、ホーム画面に戻るための動作を行う必要があり、さらに時間がかかる。
【０００６】
なお、ここでの緊急通報とは、１１０番や１１９番などの公的緊急通報ではなく、民間の緊急通報サービスや、知り合いへの緊急通報発信を意味する。なぜならば、公的緊急通報は、携帯端末のロック画面において、専用ボタンが用意されているため、上記問題は軽減されるためである（ロック画面に用意されている緊急通報専用ボタンからの通話発信は、予め決められている緊急通報先にしか発信できない。）
【０００７】
この発明は、上記のような課題を解決するためになされたもので、簡易な操作で短時間に緊急通報を実行することができる緊急通報携帯端末および緊急通報方法を提供することを目的としている。
【課題を解決するための手段】
【０００８】
この発明に係る緊急通報携帯端末は、緊急通報に関する情報を記憶する緊急通報情報記憶手段と、緊急通報情報記憶手段に記憶された情報に基づいて、緊急通報を行うための緊急通報画面を生成する緊急通報画面生成手段と、自機が起動された際に、緊急通報画面生成手段により生成された緊急通報画面を初期画面として表示する表示手段と、表示手段により表示された緊急通報画面に対する操作に応じ、緊急通報情報記憶手段に記憶された情報に基づいて、該当する緊急通報先に通話発信する緊急通報通話発信手段と、表示手段により表示された緊急通報画面に対する操作に応じ、当該緊急通報画面の表示を終了する緊急通報画面終了手段とを備えたものである。
【０００９】
また、この発明に係る緊急通報方法は、緊急通報に関する情報を記憶する緊急通報情報記憶ステップと、緊急通報情報記憶ステップにおいて記憶した情報に基づいて、緊急通報を行うための緊急通報画面を生成する緊急通報画面生成ステップと、自機が起動された際に、緊急通報画面生成ステップにおいて生成した緊急通報画面を初期画面として表示する表示ステップと、表示ステップにおいて表示した緊急通報画面に対する操作に応じ、緊急通報情報記憶ステップにおいて記憶した情報に基づいて、該当する緊急通報先に通話発信する緊急通報通話発信ステップと、表示ステップにおいて表示した緊急通報画面に対する操作に応じ、当該緊急通報画面の表示を終了する緊急通報画面終了ステップとを有するものである。
【発明の効果】
【００１０】
この発明によれば、上記のように構成したので、簡易な操作で短時間に緊急通報を実行することができる。
【図面の簡単な説明】
【００１１】
【図１】この発明の実施の形態１に係る緊急通報携帯端末の構成を示す図である。
【図２】この発明の実施の形態１に係る緊急通報携帯端末の動作を示すフローチャートである。
【図３】この発明の実施の形態１に係る緊急通報携帯端末による画面遷移を示す図である。
【図４】この発明の実施の形態１に係る緊急通報携帯端末の別の構成を示す図である。
【図５】この発明の実施の形態１に係る緊急通報携帯端末による別の緊急通報画面を示す図である。
【発明を実施するための形態】
【００１２】
以下、この発明の実施の形態について図面を参照しながら詳細に説明する。
実施の形態１．
図１はこの発明の実施の形態１に係る緊急通報携帯端末１の構成を示す図である。
緊急通報携帯端末１は、緊急通報を行う機能を有するものである。この緊急通報携帯端末１は、図１に示すように、緊急通報情報記憶手段１０１、時刻取得手段１０２、バッテリ残量取得手段１０３、バッテリ残量判定手段１０４、圏外判定手段１０５、緊急通報画面生成手段１０６、表示手段１０７、緊急通報中画面生成手段１０８、操作手段１０９、設定画面生成手段１１０、登録画面生成手段１１１、登録情報設定手段１１２、位置情報提供設定画面生成手段１１３、位置情報提供設定手段１１４、緊急通報通話発信手段１１５および緊急通報画面終了手段１１６から構成されている。
【００１３】
緊急通報情報記憶手段１０１は、緊急通報に関する情報を記憶するものである。この情報には、例えば、予め設定された緊急通報先を示す情報や、モニタ上に表示する各種画面に関する情報、緊急通報に関する登録情報、バッテリ残量の低下を判定する際に用いるしきい値を示す情報などが含まれる。
【００１４】
時刻取得手段１０２は、現在時刻を取得するものである。
バッテリ残量取得手段１０３は、自機のバッテリ残量を取得するものである。
バッテリ残量比較手段は、バッテリ残量取得手段１０２により取得されたバッテリ残量が、緊急通報情報記憶手段１０１に記憶されたしきい値以下であるかを判定するものである。
圏外判定手段１０５は、自機が圏外であるかを判定するものである。
【００１５】
緊急通報画面生成手段１０６は、緊急通報情報記憶手段１０１に記憶された情報に基づいて、緊急通報を行うための緊急通報画面２を生成するものである。この緊急通報画面２には、例えば図３（ｂ）に示すように、緊急通報を行うための緊急通報ボタン２１、緊急通報画面２の表示を終了するための緊急通報画面終了ボタン２２、緊急通報に関する各種設定を行うための各種設定ボタン２３などが設けられている。
また、緊急通報画面生成手段１０６は、時刻取得手段１０２およびバッテリ残量取得手段１０３により取得された情報に基づいて、現在時刻および自機のバッテリ残量を緊急通報画面２に表示する。また、緊急通報画面生成手段１０６は、バッテリ残量判定手段１０４によりバッテリ残量がしきい値以下であると判定された場合に、その旨を緊急通報画面２に表示する。また、緊急通報画面生成手段１０６は、圏外判定手段１０５による自機が圏外であると判定された場合に、通話発信が不可である旨を緊急通報画面２に表示する。
【００１６】
さらに、緊急通報画面生成手段１０６は、後述する設定画面４において機内モード設定ボタン４３が選択された場合に、自機の通話発信を制限する機内モード用の緊急通報画面２を生成する。この機内モード用の緊急通報画面２では、例えば図３（ｆ）に示すように、緊急通報ボタン２１に代えて、機内モードを解除するための機内モード解除ボタン２４が設けられる。そして、この機内モード解除ボタン２４が選択された場合には、３（ｂ）に示す通常の緊急通報画面２に戻る。
また、緊急通報画面生成手段１０６は、位置情報提供設定手段１１４により自機の位置情報の提供が不可に設定された場合に、その旨を緊急通報画面２に表示する。
【００１７】
表示手段１０７は、自機が起動された際に、緊急通報画面生成手段１０６により生成された緊急通報画面２をモニタ上に初期画面として表示するものである。また、表示手段１０７は、各画面生成手段１０８，１１０，１１１，１１３により生成された画面の表示も行う。
【００１８】
緊急通報中画面生成手段１０８は、表示手段１０７により表示された緊急通報画面２に対する操作に応じ、緊急通報情報記憶手段１０１に記憶された情報に基づいて、緊急通報中において通話に関する操作を行うための緊急通報中画面３を生成するものである。この緊急通報中画面３には、例えば図３（ｄ）に示すように、音量を変更するための音量大／小ボタン３１，３２、音声出力をスピーカホンに変更するためのスピーカホンボタン３３、通話を切断するための切断ボタン３４などが設けられている。
操作手段１０９は、表示手段１０７により表示された緊急通報中画面３に対する操作に応じ、緊急通報中における各種操作（音量の変更、スピーカホンへの変更、通話の切断）を行うものである。
【００１９】
設定画面生成手段１１０は、表示手段１０７により表示された緊急通報画面２に対する操作に応じ、緊急通報情報記憶手段１０１に記憶された情報に基づいて、緊急通報に関する各種設定を行うための設定画面４を生成するものである。この設定画面４には、例えば図３（ｅ）に示すように、緊急通報画面２に戻るための戻るボタン４１、緊急通報に関する登録情報を確認／変更するための登録情報確認／変更ボタン４２、緊急通報画面２を機内モードに設定するための機内モード設定ボタン４３、自機の位置情報を提供するか否かを設定するための位置情報提供設定ボタン４４、緊急通報画面２の時刻表示を和暦で表示するための和暦表示ボタン４５などが設けられている。なお、機内モードとは、飛行機内や病院などといった、電波を出すことを許可されない、または望まれない場所で使用するモードであり、緊急通報端末１の通信機能を制限するためのモードである。
また、設定画面生成手段１１０は、位置情報提供設定手段１１４により自機の位置情報の提供が不可に設定された場合に、その旨を設定画面４に表示する。
【００２０】
登録画面生成手段１１１は、表示手段１０７により表示された設定画面４に対する操作に応じ、緊急通報情報記憶手段１０１に記憶された情報に基づいて、緊急通報に関する登録情報を確認／変更するための登録画面を生成するものである。
登録情報設定手段１１２は、表示手段１０７により表示された登録画面に対する操作に応じ、緊急通報に関する登録情報を設定するものである。
【００２１】
位置情報提供設定画面生成手段１１３は、表示手段１０７により表示された設定画面４に対する操作に応じ、緊急通報情報記憶手段１０１に記憶された情報に基づいて、自機の位置情報の提供を設定するための位置情報提供設定画面５を生成するものである。この位置情報提供設定画面５には、例えば図３（ｇ）に示すように、無線ネットワークにより取得された位置情報の使用有無を設定するための項目、ＧＰＳにより取得された位置情報の使用有無を設定するための項目などが設けられている。
位置情報提供設定手段１１４は、表示手段１０７により表示された位置情報提供設定画面５に対する操作に応じ、自機の位置情報の提供可否を設定するものである。
【００２２】
緊急通報通話発信手段１１５は、表示手段１０７により表示された緊急通報画面２に対する操作に応じ、緊急通報情報記憶手段１０１に記憶された情報に基づいて、該当する緊急通報先に通話発信するものである。また、緊急通報通話発信手段１１５は、自機が機内モードに設定されている場合（機内モード用の緊急通報画面２が表示されている場合）には、通話発信を行わない。
【００２３】
緊急通報画面終了手段１１６は、表示手段１０７により表示された緊急通報画面２に対する操作に応じ、当該緊急通報画面２の表示を終了するものである。そして、この緊急通報画面２の表示終了後、緊急通報携帯端末１は通常画面（ロック画面やホーム画面等）の表示へ移行する。
【００２４】
次に、上記のように構成された緊急通報携帯端末１による動作について、図２，３を参照しながら説明する。
緊急通報携帯端末１は、図２に示すように、まず、自機が図３（ａ）に示すような待機（スリープ）状態の場合において、利用者により電源ボタンが押下されたかを判定する（ステップＳＴ１）。このステップＳＴ１において電源ボタンが押下されていないと判定した場合には、シーケンスは再びステップＳＴ１に戻る。
【００２５】
一方、ステップＳＴ１において電源ボタンが押下されたと判断した場合には、緊急通報画面生成手段１０６は、緊急通報情報記憶手段１０１に記憶された情報、時刻取得手段１０２・バッテリ残量取得手段１０３により取得された情報、バッテリ残量判定手段１０４による判定結果、および圏外判定手段１０５による判定結果に基づいて、緊急通報を行うための緊急通報画面２を生成する（ステップＳＴ２、緊急通報画面生成ステップ）。次いで、表示手段１０７は、図３（ｂ）に示すように、この緊急通報画面２をモニタ上に初期画面として表示する（ステップＳＴ３、表示ステップ）。ここで、緊急通報画面２は、ロック画面が表示されるより前に表示されるため、緊急通報を行う際にロックを解除するための操作が不要となる。
【００２６】
なお、上記に限らず、緊急通報携帯端末１の電源が入れられた時点、アプリケーションが起動した時点、あるいはスリープ状態に入る直前に緊急通報画面２を作成しておき、自機が起動する際に当該作成した緊急通報画面２を表示するようにしてもよい。この場合、現在時刻やバッテリ残量といった時間の経過による変化が発生する項目に関しては、緊急通報画面２を表示する際に最新の情報を取得して表示を更新するようにする。また、緊急通報画面２の表示中も、時間の経過により変化が発生する項目に関しては、常時監視を行い、変化があれば表示を更新するようにする。
【００２７】
また、緊急通報画面生成手段１０６は、圏外判定手段１０５により自機が圏外であると判定された場合には、図３（ｃ）に示すように、通話発信が不可である旨を緊急通報画面２に表示する。図３（ｃ）に示す例では、緊急通報ボタン２１に代えて電話圏外である旨を表示し、緊急通報の通話発信を不可としている。
【００２８】
また、緊急通報画面２に表示される現在時刻および自機のバッテリ残量は、高齢者向けに大きめに表示する。さらに、バッテリ残量の表示は、現在の自機のバッテリ残量がしきい値より少なくなった場合に文字の色を変える、背景の色を変える、あるいは「充電してください」などの文字を表示するなどして、利用者に自機の充電を促す警告を表示するようにする。緊急通報画面２は、利用者が緊急通報携帯端末１を使用する際に必ず表示される画面であるため、この画面２においてバッテリ残量の低下を警告することにより、緊急通報の際のバッテリ切れによる通話切断を起こりにくくすることが可能となる。
なお上記では、バッテリ残量の低下を判定する際に用いるしきい値が緊急通報情報記憶手段１０１に予め記憶された場合を示したが、通信機能を用いて外部から設定あるいは変更できるようにしてもよい。
【００２９】
図３（ｂ）に示す緊急通報画面２において緊急通報を行う場合には、利用者は緊急通報ボタン２１を長押しする。そして、緊急通報通話発信手段１１５は、この操作に応じ、緊急通報情報記憶手段１０１に記憶された情報に基づいて、該当する緊急通報先に通話発信する（ステップＳＴ４，５、緊急通報通話発信ステップ）。
また、緊急通報中画面生成手段１０８は、緊急通報情報記憶手段１０１に記憶された情報に基づいて、図３（ｄ）に示すような緊急通報中画面３を生成し、表示手段１０７はこれをモニタ上に表示する（ステップＳＴ６，７）。そして、操作手段１０９は、緊急通報中画面３に対する操作に応じ、緊急通報中に、音量の変更や、スピーカホンへの変更、通話の切断を行う。
【００３０】
また、図３（ｂ）に示す緊急通報画面２において当該緊急通報画面２を終了する場合には、利用者は緊急通報画面終了ボタン２２を長押しする。そして、緊急通報画面終了手段１１６は、この操作に応じ、当該緊急通報画面２の表示を終了する（ステップＳＴ８，９）。その後、モニタ上の画面は通常画面（ロック画面やホーム画面等）へ移行する。
【００３１】
一方、図３（ｂ）に示す緊急通報画面２において緊急通報に関する各種設定を行う場合には、利用者は各種設定ボタン２３を長押しする。そして、設定画面生成手段１１０は、この操作に応じ、緊急通報情報記憶手段１０１に記憶された情報に基づいて、図３（ｅ）に示すような設定画面４を生成し、表示手段１０７はこれをモニタ上に表示する。これにより、緊急通報に関する各種設定を行うことができる。
【００３２】
図３（ｅ）に示す設定画面４において緊急通報に関する登録情報を確認／変更する場合には、利用者は登録情報確認／変更ボタン４２を長押しする。そして、登録画面生成手段１１１は、この操作に応じ、緊急通報情報記憶手段１０１に記憶された情報に基づいて、登録画面を生成し、表示手段１０７はこれをモニタ上に表示する。これにより、緊急通報に関する登録情報を確認でき、また、登録情報設定手段１１２は、登録画面に対する操作に応じて登録情報を変更する。なお、登録情報には個人情報が含まれているため、セキュリティロックされている場合には、登録画面に移行する前にロック画面が表示され、ロックを解除する必要がある。
【００３３】
また、図３（ｅ）に示す設定画面４において緊急通報画面２を機内モードに設定する場合には、利用者は機内モード設定ボタン４３を長押しする。そして、緊急通報画面生成手段１０６は、この操作に応じ、図３（ｆ）に示すような機内モード用の緊急通報画面２を生成し、表示手段１０７はこれをモニタ上に表示する。この機内モード用の緊急通報画面２では、緊急通報ボタン２１が機内モード解除ボタン２４に変更され、緊急通報の通話発信を不可としている。そして、利用者が機内モード解除ボタン２４を長押しすることで、機内モードが解除され、図３（ｂ）に示すような通常の緊急通報画面２に移行する。
【００３４】
また、図３（ｅ）に示す設定画面４において自機の位置情報の提供を設定する場合には、利用者は位置情報提供設定ボタン４４を長押しする。そして、位置情報提供設定画面生成手段１１３は、この操作に応じ、緊急通報情報記憶手段１０１に記憶された情報に基づいて、図３（ｇ）に示すような位置情報提供設定画面５を生成し、表示手段１０７はこれをモニタ上に表示する。そして、位置情報提供設定手段１１４は、位置情報提供設定画面５に対する操作に応じ、緊急通報先に対して自機の位置情報の提供を許可するかどうかの設定を行う。位置情報の提供方法として、例えば、無線ネットワークにより取得された位置情報の使用有無の設定や、ＧＰＳにより取得された位置情報の使用有無の設定などを行う。そして、無線ネットワークおよびＧＰＳのうち一方でも使用が許可されていない場合には、位置情報の提供に制限があるとして、例えば図３（ｂ）に示す緊急通報画面２や図３（ｅ）に示す設定画面４にその旨を示す警告マーク４４１を表示する。なお、位置情報には個人情報が含まれているため、セキュリティロックされている場合には、登録画面に移行する前にロック画面が表示され、ロックを解除する必要がある。
【００３５】
また、図３（ｅ）に示す設定画面４において緊急通報画面２の時刻表示を和暦で表示する場合には、利用者は和暦表示ボタン４５を長押しする。そして、緊急通報画面生成手段１０６は、この利用者による操作に応じ、和暦で時刻表示を行った緊急通報画面２を生成し、表示手段１０７はこれをモニタ上に表示する。
また、図３（ｅ）に示す設定画面４において戻るボタン４１が長押しされた場合には、緊急通報画面２に戻る。
【００３６】
なお上記では、画面上のボタンを操作する際、ボタンを長押しするものとして説明を行った。しかしながら、これに限るものではなく、長押しの代わりに通常の押下としてもいいし、タップ操作を２回連続で行うようにしてもいい。
また上記では、設定画面４を別画面として表示するものとして説明を行った。しかしながら、これに限るものでなく、緊急通報画面２上に、設定画面４にある機能の一部または全部を、スクロール機能などを用いて表示するようにしてもよい。
【００３７】
以上のように、この実施の形態１によれば、緊急通報に関する情報を記憶する緊急通報情報記憶手段１０１と、緊急通報情報記憶手段１０１に記憶された情報に基づいて、緊急通報を行うための緊急通報画面２を生成する緊急通報画面生成手段１０６と、自機が起動された際に、緊急通報画面生成手段１０６により生成された緊急通報画面２を初期画面として表示する表示手段１０７と、表示手段１０７により表示された緊急通報画面２に対する操作に応じ、緊急通報情報記憶手段１０１に記憶された情報に基づいて、該当する緊急通報先に通話発信する緊急通報通話発信手段１１５と、表示手段１０７により表示された緊急通報画面２に対する操作に応じ、当該緊急通報画面２の表示を終了する緊急通報画面終了手段１１６とを備えたので、簡易な操作で短時間に緊急通報を実行することができる。また、緊急通報を行う際に必要となる自機の位置情報提供状況、バッテリ残量、あるいは圏外に関する情報や警告が、自機を起動したときに必ず表示され、利用者の目に触れるように構成することで、利用者は日常の緊急通報携帯端末１の利用において緊急通報に備えた状態を維持することが容易になる。加えて、位置情報提供設定や機内モードの設定／解除、登録情報確認／変更のための機能を関連する機能として提供することで、利用者は緊急通報の際に必要な設定を容易に変更できるようになる。
【００３８】
一方、本発明では、ロック画面の前に緊急通報画面２が表示され、緊急通報を行わない場合には緊急通報画面２を終了する必要がある。そのためこの場合には、ボタンを一回押下するだけの操作であるが、操作回数が増えることになる。そこで、この不便さを感じさせないために、緊急通報画面２によく使われる情報（現在時刻、バッテリ残量）を高齢者向けに大きめに表示することで、緊急通報時以外であっても緊急通報画面２を役立てることができる。
【００３９】
また、通常、緊急通報を行わない場合には、緊急通報画面終了ボタン２２を押すことになるが、この緊急通報画面終了ボタン２２を押下したことを検出することで、利用者に緊急事態が生じていないことを認識できる。よって、この情報を見守り機能として活用することができる。この場合、図１に示す緊急通報携帯端末１に、緊急通報画面終了手段１１６により緊急通報画面の表示が終了されたことを検出する検出手段と、検出手段により緊急通報画面の表示が終了されたことが所定時間以上検出されない場合に、その旨を外部のサーバ等に通知する通知手段を設ける。これにより、緊急通報画面終了ボタン２２が長時間押下されなかった場合には、利用者に異常が発生したと認識し、異常をサーバ等に伝えることが可能となる。
【００４０】
なお、緊急通報画面終了ボタン２２を用いて緊急通報画面２の表示を終了する構成に限らず、同等の機能を有する他のボタンを用いるようにしてもよい。当該他のボタンとしては、例えば図４に示すようなホーム画面に移行するためのホームボタン１１や、戻るボタン１２などがある。なお図４ではホームボタン１１および戻るボタン１２は画面外に設けられているが、画面内に表示するようにしてもよい。
【００４１】
また、緊急通報画面終了ボタン２２の代わりに複数の選択ボタン２５を用意し、その選択結果をアンケートとして取得することも可能である。例えば図５に示すように、モニタ上に「ただいまの気分は？」と表示し、「良い」、「普通」、「悪い」の３つの選択ボタン２５を用意して、いずれかを選択させる。そして、どの選択ボタン２５を選択した場合であっても緊急通報画面終了ボタン２２と同様に通常画面に移行するが、選択した選択ボタン２５の内容がサーバ等に送られる。そして、この情報を収集することで、緊急通報するほどではないが気分が良くない状態が続いているなど、異常の兆候を事前に把握することが可能となる。なお、アンケートの内容は、サーバから必要に応じて変更できるようにしておくことで毎回異なる質問になるようにしてもいいし、通常は緊急通報画面終了ボタン２２を表示するようにしておき、一日一回だけアンケートを収集するようにしてもいい。
【００４２】
なお、本願発明はその発明の範囲内において、実施の形態の任意の構成要素の変形、もしくは実施の形態の任意の構成要素の省略が可能である。
【符号の説明】
【００４３】
１  緊急通報携帯端末
２  緊急通報画面
３  緊急通報中画面
４  設定画面
５  位置情報提供設定画面
１１  ホームボタン
１２  戻るボタン
２１  緊急通報ボタン
２２  緊急通報画面終了ボタン
２３  各種設定ボタン
２４  機内モード解除ボタン
２５  選択ボタン
３１，３２  音量大／小ボタン
３３  スピーカホンボタン
３４  切断ボタン
４１  戻るボタン
４２  登録情報確認／変更ボタン
４３  機内モード設定ボタン
４４  位置情報提供設定ボタン
４５  和暦表示ボタン
１０１  緊急通報情報記憶手段
１０２  時刻取得手段
１０３  バッテリ残量取得手段
１０４  バッテリ残量判定手段
１０５  圏外判定手段
１０６  緊急通報画面生成手段
１０７  表示手段
１０８  緊急通報中画面生成手段
１０９  操作手段
１１０  設定画面生成手段
１１１  登録画面生成手段
１１２  登録情報設定手段
１１３  位置情報提供設定画面生成手段
１１４  位置情報提供設定手段
１１５  緊急通報通話発信手段
１１６  緊急通報画面終了手段
４４１  警告マーク
【図１】
2015049728.tif 000003
【図２】
2015049728.tif 000004
【図３】
2015049728.tif 000005
【図４】
2015049728.tif 000006
【図５】
2015049728.tif 000007